(57)【要約】      （修正有）【課題】蝶板により接続されていて開閉自在な折り戸の左右２枚の扉をロックするためのロック機構及びこのロック機構を備えた折り戸を提供する。【解決手段】蝶番により接続されていて開閉自在な折り戸Ｃの左右２枚の扉ｃ１、ｃ２のいずれか一方ｃ１の片面側に、ロックハンドル１を取り付ける。そして、このロックハンドル１が取り付けられている扉ｃ１の反対側の面に、前記ロックハンドル１の回転に連動して相手側の扉ｃ２をロックする位置と当該ロック状態が解除される位置とに動かし得るかんぬき部材３を設ける。かんぬき部材３が相手側の扉ｃ２をロックする位置に来るようにロックハンドル１を回転させることにより、蝶番により接続されていて開閉自在な折り戸Ｃの左右２枚の扉ｃ１、ｃ２が不用意に開くのを確実に防止できる。したがって、収納物が収納体から飛び出すのを、あるいは落下するのを防止することができる。【選択図】図３
0003171829.tif 000002
【実用新案登録請求の範囲】
【請求項１】
蝶番（Ｂ）、（Ｂ）により接続されていて開閉自在な折り戸（Ｃ）の左右２枚の扉（ｃ１）、（ｃ２）のいずれか一方（ｃ１）の片面側に、ロックハンドル（１）を取り付け、このロックハンドル（１）が取り付けられている扉（ｃ１）の反対側の面に、前記ロックハンドル（１）の回転に連動して相手側の扉（ｃ２）をロックする位置と当該ロック状態が解除される位置とに動かし得るかんぬき部材（３）を設けたことを特徴とする折り戸用ロック機構。
【請求項２】
ロックハンドル（１）の軸（２）の先端にかんぬき部材（３）を着脱自在に取り付け、ロックハンドル（１）の回転に連動してかんぬき部材（３）が動くようにしたことを特徴とする請求項１記載の折り戸用ロック機構。
【請求項３】
枠（Ｅ）内において左右２枚の扉（ｃ１）、（ｃ２）を蝶番（Ｂ）により接続し、前記左右２枚の扉（ｃ１）、（ｃ２）のいずれか一方（ｃ１）の片面側に、ロックハンドル（１）が取り付けられ、このロックハンドル（１）が取り付けられている扉（ｃ１）の反対側の面に、前記ロックハンドル（１）の回転に連動して相手側の扉（ｃ２）をロックする位置と当該ロック状態が解除される位置とに動かし得るかんぬき部材（３）が設けられていることを特徴とする折り戸。
【請求項４】
ロックハンドル（１）の軸（２）の先端にかんぬき部材（３）が着脱自在に取り付けられ、ロックハンドル（１）の回転に連動してかんぬき部材（３）が動くようになっていることを特徴とする請求項３記載の折り戸。
【考案の詳細な説明】
【技術分野】
【０００１】
本考案は、蝶番により接続されていて開閉自在な折り戸の左右２枚の扉をロックするためのロック機構及びこのロック機構を備えた折り戸に関するものである。
【背景技術】
【０００２】
クローゼット、家具その他の収納体であって、蝶番により左右２枚の扉が接続されている折り戸を枠内に備えたものにおいては、通常、特許文献１、２に示すように、左右２枚の扉が不用意に開くのを防止するためのロック機構は設けられていない。
【先行技術文献】
【特許文献】
【０００３】
【特許文献１】特開平１１−２０６４８３号公報（図１、図２参照）
【０００４】
【特許文献２】特開平１０−１５９４２８号公報（図２参照）
【考案の概要】
【考案が解決しようとする課題】
【０００５】
したがって、地震発生時など折り戸に不意に力が掛かると、左右２枚の扉が不用意に開いてしまうという欠点がある。左右２枚の扉が不用意に開くと、収納物が収納体から飛び出すか、あるいは落下することになるので、好ましくない。
【０００６】
本考案は、このような欠点を解消し得る折り戸用ロック機構と、このロック機構を備えた折り戸とを提供することを目的とするものである。
【課題を解決するための手段】
【０００７】
本考案では、蝶番Ｂ、Ｂにより接続されていて開閉自在な折り戸Ｃの左右２枚の扉ｃ１、ｃ２のいずれか一方ｃ１の片面側に、ロックハンドル１を取り付け、このロックハンドル１が取り付けられている扉ｃ１の反対側の面に、前記ロックハンドル１の回転に連動して相手側の扉ｃ２をロックする位置と当該ロック状態が解除される位置とに動かし得るかんぬき部材３を設ける。
【０００８】
この折り戸用ロック機構Ａを備えている場合には、例えば、ロックハンドル１が図３(a)に示す位置でかんぬき部材３により相手側の扉ｃ２をロックすることができ、蝶番Ｂ、Ｂにより接続されていて開閉自在な折り戸Ｃの左右２枚の扉ｃ１、ｃ２が不用意に開くのを確実に防止できる。
【０００９】
逆に、ロックハンドル１を図３(a)から図３(b)に示すように回転させると、ロックハンドル１のこの回転に連動して前記ロック状態が解除される位置にかんぬき部材３が動くので、前記ロック状態を解除することができ、蝶番Ｂ、Ｂにより接続されていて開閉自在な折り戸Ｃの左右２枚の扉ｃ１、ｃ２を開けることが可能となる。
【００１０】
このように、かんぬき部材３が相手側の扉ｃ２をロックする位置に来るようにロックハンドル１を回転させることにより、蝶番Ｂ、Ｂにより接続されていて開閉自在な折り戸Ｃの左右２枚の扉ｃ１、ｃ２が不用意に開くのを確実に防止できるから、収納物が収納体Ｄから飛び出すのを、あるいは落下するのを防止することができる。
【００１１】
逆に、ロックハンドル１を回転させて前記ロック状態が解除される位置にかんぬき部材３を動かすと、蝶番Ｂ、Ｂにより接続されていて開閉自在な折り戸Ｃの左右２枚の扉ｃ１、ｃ２を開けることが可能となるから、収納物を取り出すのに支障がない。
【００１２】
なお、このロック機構Ａを備えた折り戸が取り付けられているクローゼット、家具その他の収納体Ｄの中に誤って閉じ込められた場合でも、相手側の扉ｃ２をロックする位置にあるかんぬき部材３を直接握って回すことにより、蝶番Ｂ、Ｂにより接続されていて開閉自在な折り戸Ｃの左右２枚の扉ｃ１、ｃ２を開けることが可能であるから、収納体Ｄの中から容易に脱出できる。
【００１３】
ロックハンドル１の軸２の先端にかんぬき部材３を着脱自在に取り付け、ロックハンドル１の回転に連動してかんぬき部材３を動くようにしておくことが好ましい。このようにした場合には、ロックハンドル１やかんぬき部材３を、蝶番Ｂ、Ｂにより接続されていて開閉自在な折り戸Ｃの左右２枚の扉ｃ１、ｃ２に取り付けやすいので、左右２枚の扉ｃ１、ｃ２への取付作業を楽に行うことができる。
【００１４】
また、本考案による折り戸Ｃは、枠Ｅ内において左右２枚の扉ｃ１、ｃ２を蝶番Ｂ、Ｂにより接続し、前記左右２枚の扉ｃ１、ｃ２のいずれか一方ｃ１の片面側に、ロックハンドル１が取り付けられ、このロックハンドル１が取り付けられている扉ｃ１の反対側の面に、前記ロックハンドル１の回転に連動して相手側の扉ｃ２をロックする位置と当該ロック状態が解除される位置とに動かし得るかんぬき部材３が設けられたものである。
【００１５】
この折り戸Ｃによれば、例えば、ロックハンドル１が図３(a)に示す位置でかんぬき部材３により相手側の扉ｃ２をロックすることができるので、蝶番Ｂ、Ｂにより接続されていて開閉自在な折り戸Ｃの左右２枚の扉ｃ１、ｃ２が不用意に開くのを確実に防止できる。
【００１６】
逆に、ロックハンドル１を図３(a)から図３(b)に示すように回転させると、ロックハンドル１のこの回転に連動して前記ロック状態が解除される位置にかんぬき部材３が動くので、前記ロック状態を解除することができ、蝶番Ｂ、Ｂにより接続されていて開閉自在な折り戸Ｃの左右２枚の扉ｃ１、ｃ２を開けることが可能となる。
【００１７】
この折り戸Ｃによれば、かんぬき部材３が相手側の扉ｃ２をロックする位置に来るようにロックハンドル１を回転させることにより、蝶番Ｂ、Ｂにより接続されていて開閉自在な折り戸Ｃの左右２枚の扉ｃ１、ｃ２が不用意に開くのを確実に防止できるから、収納物が収納体Ｄから飛び出すのを、あるいは落下するのを防止することができる。
【００１８】
逆に、この折り戸Ｃによれば、ロックハンドル１を回転させて前記ロック状態が解除される位置にかんぬき部材３を動かすと、蝶番Ｂ、Ｂにより接続されていて開閉自在な折り戸Ｃの左右２枚の扉ｃ１、ｃ２を開けることが可能となるから、収納物を取り出すのに支障がない。
【００１９】
なお、この折り戸Ｃが取り付けられているクローゼット、家具その他の収納体Ｄの中に誤って閉じ込められた場合でも、相手側の扉ｃ２をロックする位置にあるかんぬき部材３を直接握って回すことにより、蝶番Ｂ、Ｂにより接続されていて開閉自在な折り戸Ｃの左右２枚の扉ｃ１、ｃ２を開けることが可能であるから、収納体Ｄの中から容易に脱出できる。
【００２０】
ロックハンドル１の軸２の先端にかんぬき部材が着脱自在に取り付けられ、ロックハンドル１の回転に連動してかんぬき部材３が動くようになっていることが望ましい。この折り戸Ｃによれば、ロックハンドル１やかんぬき部材３を、蝶番Ｂ、Ｂにより接続されていて開閉自在な折り戸Ｃの左右２枚の扉ｃ１、ｃ２に取り付けやすいので、折り戸Ｃの左右２枚の扉ｃ１あるいはｃ２への取付作業を楽に行うことができる。
【考案の効果】
【００２１】
請求項１記載の考案によれば、かんぬき部材３が相手側の扉ｃ２をロックする位置に来るようにロックハンドル１を回転させることにより、蝶番Ｂ、Ｂにより接続されていて開閉自在な折り戸Ｃの左右２枚の扉ｃ１、ｃ２が不用意に開くのを確実に防止できるから、収納物が収納体Ｄから飛び出すのを、あるいは落下するのを防止することができる。
【００２２】
逆に、ロックハンドル１を回転させて前記ロック状態が解除される位置にかんぬき部材３を動かすと、蝶番Ｂ、Ｂにより接続されていて開閉自在な折り戸Ｃの左右２枚の扉ｃ１、ｃ２を開けることが可能となるから、収納物を取り出すのに支障がない。
【００２３】
なお、請求項１記載のロック機構Ａを備えた折り戸Ｃが取り付けられているクローゼット、家具その他の収納体Ｄの中に誤って閉じ込められた場合でも、相手側の扉ｃ２をロックする位置にあるかんぬき部材３を直接握って回すことにより、蝶番Ｂ、Ｂにより接続されていて開閉自在な折り戸Ｃの左右２枚の扉ｃ１、ｃ２を開けることが可能であるから、収納体Ｄの中から容易に脱出できる。
【００２４】
請求項２記載の考案によれば、ロックハンドル１やかんぬき部材３を、蝶番Ｂ、Ｂにより接続されていて開閉自在な折り戸Ｃの左右２枚の扉ｃ１、ｃ２に取り付けやすいので、折り戸Ｃの左右２枚の扉ｃ１あるいはｃ２への取付作業を楽に行うことができる。
【００２５】
請求項３記載の折り戸によれば、かんぬき部材３が相手側の扉ｃ２をロックする位置に来るようにロックハンドル１を回転させることにより、蝶番Ｂ、Ｂにより接続されていて開閉自在な折り戸Ｃの左右２枚の扉ｃ１、ｃ２が不用意に開くのを確実に防止できるから、収納物が収納体Ｄから飛び出すのを、あるいは落下するのを防止することができる。
【００２６】
逆に、請求項３記載の折り戸によれば、ロックハンドル１を回転させて前記ロック状態が解除される位置にかんぬき部材３を動かすと、蝶番Ｂ、Ｂにより接続されていて開閉自在な折り戸Ｃの左右２枚の扉ｃ１、ｃ２を開けることが可能となるから、収納物を取り出すのに支障がない。
【００２７】
なお、請求項３記載の折り戸が取り付けられているクローゼット、家具その他の収納体Ｄの中に誤って閉じ込められた場合でも、相手側の扉ｃ２をロックする位置にあるかんぬき部材３を直接握って回すことにより、蝶番Ｂ、Ｂにより接続されていて開閉自在な折り戸Ｃの左右２枚の扉ｃ１、ｃ２を開けることが可能であるから、収納体Ｄの中から容易に脱出できる。
【００２８】
請求項４記載の折り戸によれば、ロックハンドル１やかんぬき部材３を、蝶番Ｂ、Ｂにより接続されていて開閉自在な折り戸Ｃの左右２枚の扉ｃ１、ｃ２に取り付けやすいので、折り戸Ｃの左右２枚の扉ｃ１あるいはｃ２への取付作業を楽に行うことができる。
【図面の簡単な説明】
【００２９】
【図１】本考案による折り戸用ロック機構の一例を示す分解斜視図である。
【図２】図１に示す折り戸用ロック機構の組立後の状態を示す斜視図である。
【図３】図１に示す折り戸用ロック機構を備えた折り戸のみの正面図で、(a)は、蝶番により接続されていて開閉自在な折り戸の左右２枚の扉がロックされている状態を、(b)は、(a)の位置からロックハンドルを矢印で示すように回転させて前記ロック状態が解除される位置にかんぬき部材を動かした状態を示す。
【図４】図３に示す折り戸が取り付けられているクローゼット、家具その他の収納体と、蝶番により接続されていて開閉自在な折り戸の左右２枚の扉を、表側から見た斜視図で、(a)は収納体全体の斜視図、(b)は蝶番により接続されていて開閉自在な折り戸の左右２枚の扉を折り畳んだ状態のみを示す斜視図である。
【図５】図３に示す折り戸が取り付けられているクローゼット、家具その他の収納体と、蝶番により接続されていて開閉自在な折り戸の左右２枚の扉を、裏側から見た斜視図で、(a)は収納体全体の斜視図、(b)は蝶番により接続されていて開閉自在な折り戸の左右２枚の扉を折り畳んだ状態のみを示す斜視図である。
【図６】ロックハンドル停止装置とかんぬき部材の関係を説明するための概略図で、(a)はロック解除位置における両者の関係を示す図、(b)はロック解除位置とロック位置の途中である位置における両者の関係を示す図、(c)はロック位置における両者の関係を示す図、(d)はロックハンドルを取り付けた扉にロックハンドル停止装置がどのように取り付けられているかを示す断面図である。
【考案を実施するための形態】
【００３０】
本考案を実施するための形態について、図面を参照しながら詳細に説明する。図１、図２に、本考案による折り戸用ロック機構の一例を示す。図１、図２から明らかなように、本考案による折り戸用ロック機構Ａは、ロックハンドル１と、このロックハンドル１の回転中心となる軸２の先端に取り付けられるかんぬき部材３とで構成される。
【００３１】
ロックハンドル１の回転中心となる軸２は、ロックハンドル１と一体的な軸筒２ａと、この軸筒２ａに一部を嵌入せしめることができ、かつ、固定ネジ４で前記軸筒２ａに固定することができる取付軸２ｂとからなっている。
【００３２】
そして、固定ネジ４で前記軸筒２ａにこの取付軸２ｂを固定するとともに、この取付軸２ｂの先端にかんぬき部材３の孔３ａを嵌め合わせるとともに、取付軸２ｂの先端に固定ネジ５を螺合せしめることにより、前記軸筒２ａに固定された取付軸２ｂの先端にかんぬき部材３を固定することができる。
【００３３】
このように、ここに例示する折り戸用ロック機構Ａにあっては、ロックハンドル１の軸２の先端にかんぬき部材３を着脱自在に取り付けることができる。ここでは、図３〜図５に示すように、蝶番Ｂ、Ｂにより接続されていて開閉自在な折り戸Ｃの左右２枚の扉ｃ１、ｃ２のいずれか一方である扉ｃ１に折り戸用ロック機構Ａを取り付けた場合を例示する。
【００３４】
この折り戸用ロック機構Ａの扉ｃ１への取り付け方について説明する。ロックハンドル１の軸筒２ａに取付軸２ｂをあらかじめ固定しておき、扉ｃ１に形成した取付孔ｃ’（図３参照）に扉ｃ１の表側から前記軸筒２ａを挿入・固定する。しかる後、扉ｃ１の裏側において、扉ｃ１の裏側に突出している前記取付軸２ｂの先端にかんぬき部材３を固定する。かくして、蝶番Ｂ、Ｂにより接続されていて開閉自在な折り戸Ｃの扉ｃ１に折り戸用ロック機構Ａを簡単に取り付けることができる。
【００３５】
この折り戸用ロック機構Ａを備えていると、例えば、ロックハンドル１が図３(a)に示す位置でかんぬき部材３により相手側の扉ｃ２をロックすることができ、蝶番Ｂ、Ｂにより接続されていて開閉自在な折り戸Ｃの左右２枚の扉ｃ１、ｃ２が不用意に開くのを確実に防止できる。
【００３６】
逆に、軸２（軸筒２ａ）を中心としてロックハンドル１を図３(a)から図３(b)に示すように回転させると、ロックハンドル１のこの回転に連動して前記ロック状態が解除される位置にかんぬき部材３が動くので、前記ロック状態を解除することができ、蝶番Ｂ、Ｂにより接続されていて開閉自在な折り戸Ｃの左右２枚の扉ｃ１、ｃ２を開けることが可能となる。
【００３７】
このように、かんぬき部材３が相手側の扉ｃ２をロックする位置に来るようにロックハンドル１を回転させることにより、蝶番Ｂ、Ｂにより接続されていて開閉自在な折り戸Ｃの左右２枚の扉ｃ１、ｃ２が不用意に開くのを確実に防止できるから、収納物が収納体Ｄから飛び出すのを、あるいは落下するのを防止することができる。
【００３８】
逆に、ロックハンドル１を回転させて前記ロック状態が解除される位置にかんぬき部材３を動かすと、蝶番Ｂ、Ｂにより接続されていて開閉自在な折り戸Ｃの左右２枚の扉ｃ１、ｃ２を開けることが可能となるから、収納物を取り出すのに支障がない。
【００３９】
なお、このロック機構Ａを備えた折り戸Ｃが取り付けられているクローゼット、家具その他の収納体Ｄの中に誤って閉じ込められた場合でも、相手側の扉ｃ２をロックする位置にあるかんぬき部材３を直接握って回すことにより、蝶番Ｂ、Ｂにより接続されていて開閉自在な折り戸Ｃの左右２枚の扉ｃ１、ｃ２を開けることが可能であるから、収納体Ｄの中から容易に脱出できる。
【００４０】
ここには、ロックハンドル１の軸２の先端にかんぬき部材３を着脱自在に取り付け、ロックハンドル１の回転に連動してかんぬき部材３が動くようにした場合を例示する。このようにしてあると、ロックハンドル１やかんぬき部材３を、蝶番Ｂ、Ｂにより接続されていて開閉自在な折り戸Ｃの左右２枚の扉ｃ１、ｃ２に取り付けやすいので、左右２枚の扉ｃ１、ｃ２への取付作業を楽に行うことができる。
【００４１】
かんぬき部材３の先端には、樹脂製のキャップ３ｂが取り付けられており、このキャップ３ｂで相手側の扉ｃ２を押え付けてロックすることができる。したがって、ロック時において、相手側の扉ｃ２に傷がつきにくい。
【００４２】
ここに例示されている折り戸Ｃは、図４、図５に示すように、枠Ｅ内において左右２枚の扉ｃ１、ｃ２を蝶番Ｂ、Ｂにより接続し、前記左右２枚の扉ｃ１、ｃ２のいずれか一方ｃ１の片面側に、ロックハンドル１が取り付けられ、このロックハンドル１が取り付けられている扉ｃ１の反対側の面に、前記ロックハンドル１の回転に連動して相手側の扉ｃ２をロックする位置と当該ロック状態が解除される位置とに動かし得るかんぬき部材３が設けられている。
【００４３】
この折り戸Ｃによれば、例えば、ロックハンドル１が図３(a)に示す位置でかんぬき部材３により相手側の扉ｃ２をロックすることができるので、蝶番Ｂ、Ｂにより接続されていて開閉自在な折り戸Ｃの左右２枚の扉ｃ１、ｃ２が不用意に開くのを確実に防止できる。
【００４４】
逆に、ロックハンドル１を図３(a)から図３(b)に示すように回転させると、ロックハンドル１のこの回転に連動して前記ロック状態が解除される位置にかんぬき部材３が動くので、前記ロック状態を解除することができ、蝶番Ｂ、Ｂにより接続されていて開閉自在な折り戸Ｃの左右２枚の扉ｃ１、ｃ２を開けることが可能となる。
【００４５】
この折り戸Ｃによれば、かんぬき部材３が相手側の扉ｃ２をロックする位置に来るようにロックハンドル１を回転させることにより、蝶番Ｂ、Ｂにより接続されていて開閉自在な折り戸Ｃの左右２枚の扉ｃ１、ｃ２が不用意に開くのを確実に防止できるから、収納物が収納体Ｄから飛び出すのを、あるいは落下するのを防止することができる。
【００４６】
逆に、この折り戸Ｃによれば、ロックハンドル１を回転させて前記ロック状態が解除される位置にかんぬき部材３を動かすと、蝶番Ｂ、Ｂにより接続されていて開閉自在な折り戸Ｃの左右２枚の扉ｃ１、ｃ２を開けることが可能となるから、収納物を取り出すのに支障がない。
【００４７】
なお、この折り戸Ｃが取り付けられているクローゼット、家具その他の収納体Ｄの中に誤って閉じ込められた場合でも、相手側の扉ｃ２をロックする位置にあるかんぬき部材３を直接握って回すことにより、蝶番Ｂ、Ｂにより接続されていて開閉自在な折り戸Ｃの左右２枚の扉ｃ１、ｃ２を開けることが可能であるから、収納体Ｄの中から容易に脱出することができる。
【００４８】
ここには、ロックハンドル１の軸２の先端である取付軸２ｂの先端にかんぬき部材３が着脱自在に取り付けられ、ロックハンドル１の回転に連動してかんぬき部材３が動くようになっている場合を例示する。このようにした場合には、ロックハンドル１やかんぬき部材３を、蝶番Ｂ、Ｂにより接続されていて開閉自在な折り戸Ｃの左右２枚の扉ｃ１、ｃ２に取り付けやすいので、折り戸Ｃの左右２枚の扉ｃ１あるいはｃ２への取付作業を楽に行うことができる。
【００４９】
なお、前記ロックハンドル１が取り付けられている扉ｃ１の反対側の面には、図６(d)に示すように、前記かんぬき部材３の内面に位置させ得るロックハンドル停止装置６がネジ７により取り付けられている。このロックハンドル停止装置６は略方形状であって、対角線の位置にある２つのコーナー６ａ、６ａは直角形を有し、他の２つのコーナー６ｂ、６ｂは変形可能としてある。
【００５０】
そして、かんぬき部材３が相手側の扉ｃ２をロックする位置と当該ロック状態が解除される位置にあるとき、すなわち、かんぬき部材３が図６(c)と図６(a)にあるとき、ロックハンドル停止装置６の直角形の２つのコーナー６ａ、６ａでかんぬき部材３の回転が阻止される。したがって、このかんぬき部材３と関連するロックハンドル１も上記２つの位置で停止せしめられ、ロックハンドル１が扉ｃ１に対してクルクル回ることなく、所定の位置に停止せしめられる。
【００５１】
一方、かんぬき部材３が上記ロック位置と当該ロック状態が解除される位置の途中にあるとき、すなわち、かんぬき部材３が図６(b)にあるとき、ロックハンドル停止装置６の変形可能な２つのコーナー６ｂ、６ｂは同図に示すように変形せしめられ、ロックハンドル停止装置６によりかんぬき部材３の回転が阻止されることはない。したがって、このかんぬき部材３と関連するロックハンドル１も、上記２つの位置の途中においては回転可能であり、この位置を経てかんぬき部材３が上記ロック位置と当該ロック状態が解除される位置に来るようにロックハンドル１を回転させることができる。
【符号の説明】
【００５２】
１…ロックハンドル、２…軸、２ａ…軸筒、２ｂ…取付軸  、３…かんぬき部材、３ｂ…厚くなっている部分、４、５…固定ネジ、Ａ…折り戸用ロック機構、Ｂ…蝶番、Ｃ…折り戸、ｃ１、ｃ２…扉、Ｄ…収納体、Ｅ…枠。
【図１】
0003171829.tif 000003
【図２】
0003171829.tif 000004
【図３】
0003171829.tif 000005
【図４】
0003171829.tif 000006
【図５】
0003171829.tif 000007
【図６】
0003171829.tif 000008